(57)【要約】【課題】本発明は、下層伝票用紙と上層伝票用紙との二枚重ねの配送伝票であって、個別に変更する必要のない箇所やデザインを予め印刷しておき、配送伝票を使用する流通事業者にとっては使い易く、お客様にとっては見易く、あらゆる情報を効率的に一覧で得られるようにした配送伝票を提供して、コスト削減と環境保護を図る。【解決手段】配送伝票は下層伝票用紙の上に上層伝票用紙を積層して形成され、下層伝票用紙の表面には包装紙情報欄が備えられ、上層伝票用紙の表面にはお届け票と、配送票と、配送控票とが備えられ、このお届け票と、配送票と、配送控票には少なくとも受取人情報欄と送付人情報欄とが備えられ、この配送票及び配送控票は上層伝票用紙から切り剥がし自在になるようにセットされており、配送票及び配送控票の切り剥がし跡には下層伝票用紙に表示した包装紙情報欄が視認可能となるように構成されている。【選択図】図３
2011098502.tif 000002
【特許請求の範囲】
【請求項１】
包装紙を使用しない贈答品の配送に用いられる配送伝票において、配送伝票は下層伝票用紙の上に上層伝票用紙を積層して形成され、下層伝票用紙の表面には包装紙情報欄が備えられ、上層伝票用紙の表面にはお届け票と、配送票と、配送控票とが備えられ、このお届け票と、配送票と、配送控票には少なくとも受取人情報欄と送付人情報欄とが備えられ、この配送票及び配送控票は上層伝票用紙から切り剥がし自在になるようにセットされており、配送票及び配送控票の切り剥がし跡には下層伝票用紙に表示した包装紙情報欄が視認可能となるように構成されていることを特徴とする簡易包装用の配送伝票。
【請求項２】
上層伝票用紙に熨斗情報欄を備えたことを特徴とする請求項１記載の簡易包装用の配送伝票。
【発明の詳細な説明】
【技術分野】
【０００１】
本発明は、簡易包装（包装紙により贈答品の全面を包装することなく、体裁の関係から包装紙をわずかに使うか、あるいはまったく使わないようにした包装のこと）にて送られる贈答品の配送に使用される配送伝票に関し、さらに詳しくは配送伝票の表示面に、配送贈答品の受け取り手を示す受取人情報と、配送贈答品の送り手を示す送付人情報と、配送贈答品を販売した会社（あるいは取り扱った会社）などを示す包装紙情報と、配送贈答品の配送目的を示す熨斗情報とを一覧可能となる状態に表示してなる配送伝票に関する。
【背景技術】
【０００２】
一般的に季節の挨拶の贈答に当たるお中元やお歳暮、その他内祝、粗品、志、記念品、プレゼントなど各種の配送目的にかなう贈答品が、送付人（送り手）から受取人（受け取り手）に、配送業者を介して配送されている。
このように送り手から、受け取り手へ贈答品を配送するに際しては、受取人を特定するための受取人情報と、送り手を受取人に知らせるための送付人情報とが必須の情報となる。
【０００３】
すなわち、受取人情報は、配送業者が贈答品を正確に届けるための届け先を明示する事項であり、送付人情報は、受け取り手が受け取った贈答品は誰から送られてきたかを知るために必要な事項である。そもそも、送付人側からしても、自分が送った贈答品を受け取る受取人に、その贈答品の送付人は誰なのかを確実に理解してもらいたいという当然の心理がある（いわゆる名刺を添付するような意味合いもある）。
【０００４】
これに加えて、配送された贈答品が何の目的で送られたのかを、受け取り手に知らせるために, お中元やお歳暮、その他内祝、粗品、志、記念品、プレゼントなどの配送目的を具体的に伝えるための、熨斗情報というものも必要であった。
【０００５】
さらに、従来採用されていた贈答品に、目的に応じた熨斗紙をかけ、全面を包装紙で覆う完全包装の場合には、当該贈答品の取扱店（あるいは販売店）の情報（例えば信用力の高い一流デパートや趣味が良く品揃えも豊富な専門店などを意味する）が、贈答品を包装している包装紙を媒介して伝えられる。この包装紙情報は、その包装紙に化体している取扱店（販売店）の信用が、暗黙の了解の下に受け取り手に知らされるという働きを持っており、完全包装の場合には、贈答品と包装紙情報とが一体となっていたため、送られた贈答品自体の信用力はストレートに伝達できていた。
【先行技術文献】
【特許文献】
【０００６】
【特許文献１】特開２００１−２３９７７５号公報
【特許文献２】特開２００７−７９０６号公報
【特許文献３】特開２００９−１０７２６７号公報
【発明の開示】
【発明が解決しようとする課題】
【０００７】
ところが近年、省資源、エコの名の下に包装紙で贈答品の全面を覆う完全包装が敬遠され始め、包装紙を一部にのみ使用する簡易包装が広まった。
この簡易包装では、配送伝票を貼付する目的で、贈答品にわずかの包装紙を巻き帯状に巻設するなどしていた。
【０００８】
ところで、わずかとはいえ包装紙を使用する簡易包装にあっては、贈答品を完全包装しないまでも、贈答品の一部に包装紙を巻設する必要があるため、その準備に意外と手間と人手がかかり、かつ簡易包装を粗雑に行った場合には、配送伝票添付箇所付近の体裁を損なったり、そこに配送伝票を貼付してもそれが簡単に破れたり、外れたりしてしまう心配があった。
【０００９】
また、簡易包装用の包装紙自体も、包装紙の本来の目的である贈答品保護の機能は持っておらず、その包装紙に化体している取扱店（販売店）の信用が、暗黙の了解の下に受け取り手に知らされる、という目的を果した後には破棄されることになり、森林保護がさしせまった現実問題となっている現在では、その必要性に疑問を持つ人も多い。
【００１０】
簡易包装でも一部に包装紙が使用されていれば、そこから包装紙情報は得られるが、包装紙をまったく使用せずに直接贈答品に配送伝票を貼付したり、贈答品を封入した封筒などのパッケージに配送伝票を貼付する場合には、包装紙情報を得ることができないという問題があった。
【００１１】
本発明は、下層伝票用紙と上層伝票用紙との二枚重ねの配送伝票であって、その配送伝票の使用者の規模や状況に応じて、個別に変更する必要のない箇所やデザインを、予め印刷しておく等の事前準備をしておき、受取人情報欄、送付人情報欄、熨斗情報欄をコンピュータに登録したデータより自動印刷し、上層伝票用紙から配送票及び配送控票を切り剥がし自在になるようにセットし、配送伝票を使用する流通事業者にとっては使い易く、お客様にとっては見易く、あらゆる情報を効率的に一覧で得られるようにした配送伝票を提供し、コスト削減と環境保護を両立せんとするものである。
さらに、これらに代えて、配送伝票を事前印刷をすることなく、一度に全面印刷をすることで対処することも、もちろん可能である（少数印刷の場合に適する）。
【課題を解決するための手段】
【００１２】
本発明に係る配送伝票の請求項１のものは、包装紙を使用しない贈答品の配送に用いられる配送伝票において、配送伝票は下層伝票用紙の上に上層伝票用紙を積層して形成され、下層伝票用紙の表面には包装紙情報欄が備えられ、上層伝票用紙の表面にはお届け票と、配送票と、配送控票とが備えられ、このお届け票と、配送票と、配送控票には少なくとも受取人情報欄と送付人情報欄とが備えられ、この配送票及び配送控票は上層伝票用紙から切り剥がし自在になるようにセットされており、配送票及び配送控票の切り剥がし跡には下層伝票用紙に表示した包装紙情報欄が視認可能となるように構成されていることを特徴とする簡易包装用の配送伝票である。
【００１３】
また請求項２は、上層伝票用紙に熨斗情報欄を備えたことを特徴とする請求項１記載の簡易包装用の配送伝票である。
【発明の効果】
【００１４】
本発明に係る配送伝票は、全体が二層の伝票用紙だけで構成されるので構造が簡素なものとなり、また上層伝票用紙の配送票と配送控票は切り剥がし自在に構成されているため、配送業者（配送人＝例えば貨物を配送する業者）及び発送業者（発送人＝例えばデパート）が配送伝票のお届け票の控え（すなわち、配送票及び配送控票のこと）を、それぞれ上層伝票用紙から切り剥がした後、自己の管理下で配送票又は配送控票を確実に保管できる効果があり、かつその配送票及び配送控票を切り剥がした跡からは下層伝票用紙に備えられている包装紙情報欄が視認できるので、包装紙情報を確実に受取人に伝えることができ、配送作業を正確に効率的に行うことができ、受取人にとっては送付人を瞬時に好感を持って理解することができ、簡易包装という条件下で配送伝票としての機能を十分に発揮できるという効果がある。
【００１５】
特に、配送伝票の上層伝票用紙の、お届け票、配送票、配送控票を同一面に配設しているため、上層伝票用紙の表示面に必要な文字などを一度の印刷作業で表示できるという効果がある。従来の配送伝票のように、複数枚の用紙に重ね印刷をしないため、印刷作業は簡便なものとなる。
【００１６】
本発明に係る配送伝票は、少なくとも受取人情報と、送付人情報と、包装紙情報とを見易い形態でデザイン的にも美しく表示しているため、配送作業を正確に効率的に行うことができ、受取人にとっては送付人を瞬時に好感を持って理解することができ、簡易包装という条件下で配送伝票としての機能を十分に発揮できるという効果がある。
【００１７】
さらに熨斗情報欄を設けた場合には、送付人の贈答品送付の目的を、しゃれたデザインのもとで瞬時に理解でき、好感を得られ易いという効果がある。
【図面の簡単な説明】
【００１８】
図１〜図４は本発明の配送伝票の各種の実施例を示した正面図である。
【図１】本発明の配送伝票の上層伝票用紙を示した正面図である。
【図２】本発明の配送伝票の下層伝票用紙を示した正面図である。
【図３】本発明の上層伝票用紙から、配送票及び配送控票の部分を切り剥がす状態を説明した正面図である。
【図４】前図で配送票及び配送控票を切り剥がした後の、配送伝票の正面図である。
【発明を実施するための最良の形態】
【００１９】
以下、図面を参照して本発明の配送伝票の実施の形態を説明する。
図１〜図４に示す本発明に係る配送伝票１は、上層伝票用紙２と下層伝票用紙３とを積層して形成されており、贈答品（本発明のものは、贈答品目的以外の商品の配送伝票としても利用できることはもちろんである）を配送する際に、配送伝票として利用されることとなる。
【００２０】
まず、上層伝票用紙２の表面には、お届け票１０、配送票１１，配送控票１２が備えられている。お届け票１０は贈答品に貼付されて配送伝票１としての役割を発揮する部分であり、受取人情報欄４、送付人情報欄５、さらに必要に応じて熨斗情報欄６、メッセージ欄７、各種コード欄８が備えられる。
【００２１】
配送票１１及び配送控票１２は、お届け伝票１０の記載データと同一のデータが記載され（重要なデータ部分が記載されていれば十分で、お届け伝票１０の控えとして不必要であるデータは省略される場合がある）、従来の複写式配送伝票に於ける写しに相当するものである。そのため図示の実施例では、配送票１１及び配送控票１２は各一部ずつ用意しているが、それらの部数は、必要であれば自由に増やすことも可能である。
また下層伝票用紙３の表面には、包装紙情報欄９が備えられている。
この配送伝票１は、コンピュータ印刷により必要な箇所に一度で、配送に必要なデータを印刷して使用することになる。
【００２２】
本発明の受取人情報欄４には、受取人の郵便番号、電話番号、住所、氏名などが表示されるもので、同じく送付人情報欄５には、送付人の郵便番号、電話番号、住所、氏名、肩書きなどが表示される。また送付人情報欄５は名刺のデザイン、すなわち住所や氏名などの全体を同書同大に表示するのではなく、名刺に表示されるように住所と氏名と肩書きの配列を変化させたり、氏名の部分を大きく表示したり、書体を変えて表示したりして、名前を強く印象付ける工夫を凝らすようにしても良い。
【００２３】
ついで包装紙情報欄９には、包装紙に関する情報が、例えば特定のデパートや専門店の専用包装紙の図柄のデザインを、そのまま地模様のデザインで表示したり、その専用包装紙で完全包装した贈答品のデザイン（正面図のみならず、斜視図の表示でも良い）で表示したりして臨場感を持たせるようにしても良い。
この包装紙情報欄９は、包装紙のデザインに加えて、その包装紙を使用する会社又は店の名称や商標を具体的に表示しても良い。
【００２４】
また熨斗情報欄６は、図３及び図４に示したように、例えば「お中元、お歳暮、粗品、内祝、志、記念品、プレゼント」などの文字で表示（その文字を正面から見たり、斜めから見た状態に変化させても良い）することや、水引などをあしらった、熨斗紙、熨斗袋、短冊のデザインで表示（そのデザインを正面から見たり、斜めから見た状態に変化させても良い）させることもできる。
さらに適宜のスペースに設けられるメッセージ欄７には、送付人から受取人に伝えたいメッセージ、例えば「お誕生日おめでとう」「お元気で」「合格おめでとう」などのメッセージを表示することができる。
各種コード欄８には、ＱＲコード、バーコードなどの各種コードを表示する欄であり、この各種コード欄８の存在により配送伝票１としての利用価値は一層高まる。
【００２５】
上記の配送伝票１で、必要なデータの印刷が終了した後に、上層伝票用紙２のお届け票１０を残して配送票１１及び配送控票１２を切り剥がすと、その剥がした跡には、下層伝票用紙３に印刷してある包装紙情報欄９が視認できる状態となるので、その状態で贈答品などに貼付して配送伝票１としてそのまま使用することで、上記の各種情報欄が全て有効に機能することとなる。配送票１１及び配送控票１２を上層伝票用紙２から切り剥がし易くするために、切り剥がしの際の境界線１３に、ミシン目やハーフカットラインを形成しておき、下層伝票用紙３との接着面は容易に剥離できる擬似接着の状態にしておくことが好ましい。
【産業上の利用可能性】
【００２６】
本発明によれば、多数の贈答品を配送する機会の多い、デパート、専門店、インターネットショッピング店、多数の記念品やプレゼントを配送する機会の多い自動車会社、新聞社、食品メーカー、さらには配送業者などの各業界で利用可能である。また、パソコンや対応するソフトウェアの開発によって、中小の商店や個人宅でも、大手企業と同等の贈答品配送が可能となる。
【符号の説明】
【００２７】
１    配送伝票
２    上層伝票用紙
３    下層伝票用紙
４    受取人情報欄
５    送付人情報欄
６    熨斗情報欄
７    メッセージ欄
８    各種コード欄
９    包装紙情報欄
１０  お届け票
１１  配送票
１２  配送控票
１３  境界線
【図１】
2011098502.tif 000003
【図２】
2011098502.tif 000004
【図３】
2011098502.tif 000005
【図４】
2011098502.tif 000006